(57)【特許請求の範囲】
【請求項１】
データ通信を仲介するインターフェースを複数有し、該インターフェースを介して画像データを受信して受信した画像データに基づく画像を形成する画像形成装置において、
前記インターフェースを介して入力された画像データを暗号化する暗号化部と、該暗号化部により暗号化された画像データを蓄積するデータ蓄積部とを備え、
前記インターフェースのうちの一つのインターフェースを介してのデータ通信が行われている間および該一つのインターフェースを介して入力された画像データが前記暗号化部により暗号化され前記データ蓄積部に蓄積されるまでの間は、該一つのインターフェース以外の少なくとも一つのインターフェースを介しての画像データの通信を遮断するように、データ通信を制限するものであることを特徴とする画像形成装置。
【請求項２】
前記インターフェースそれぞれについて、一つのインターフェースを介してデータ通信を行っている間の他のインターフェースを介してのデータ通信の遮断の要否を設定する遮断要否設定部を備え、
前記通信制御部は、前記遮断要否設定部により設定された遮断の要否に基づき、前記他のインターフェースを介してのデータ通信を遮断するように、データ通信を制限するものであることを特徴とする請求項１記載の画像形成装置。
【発明の詳細な説明】
【技術分野】
【０００１】
本発明は、データ通信を仲介するインターフェースを有し該インターフェースを介して画像データを受信して受信した画像データに基づく画像を形成する画像形成装置に関する。
【背景技術】
【０００２】
近年、ＬＡＮやインターネットなどの通信回線を介して画像データを入出力するファクシミリ、複写機、プリンタなどの画像形成装置において、画像データの機密保護のために、ＨＤＤ（ハードディスク装置）などの記憶装置に蓄積される画像データを暗号化したり、オーバーライト機能により画像データを上書き消去したりするセキュリティ技術が広く普及している。
【０００３】
これら従来のセキュリティ技術の多くは、すでに画像形成装置に蓄積された画像データをどのようにして第三者に見せないように保護するかという技術である。通常の画像形成装置では、ＨＤＤなどに蓄積されている画像データおよびその画像データに関する処理情報に対して、消去又はランダムデータの上書きなどによる無効化処理が施されているか否かに関するジョブ履歴情報を表示装置などに表示するようになっているものが多い。
【０００４】
しかし、ジョブ履歴情報全てを一律に表示することは機密保護の観点から問題があるので、消去されずにＨＤＤなどに蓄積されている画像データのうち、指定された画像データの履歴情報を表示装置に表示させないように選択できるようにしてセキュリティ向上を計った画像形成装置が開示されている（例えば、特許文献１参照）。
【特許文献１】特開２００４−３０４２９１号公報（第１頁〜第７頁）
【発明の開示】
【発明が解決しようとする課題】
【０００５】
しかし、上記特許文献１に開示された画像形成装置をはじめ、一般に公共の場に設置されているデータ通信装置や画像形成装置などでは、ＨＤＤなどの記憶装置に蓄積されている画像データについてのセキュリティは考慮されているが、これから蓄積されるべく入力中の画像データの機密保護については考慮されていないので、入力中の画像データが第三者により盗聴されるという危険性がある。
【０００６】
本発明は、上記事情に鑑み、入力中の画像データの機密を保護することのできる画像形成装置を提供することを目的とする。
【課題を解決するための手段】
【００１１】
また、上記目的を達成する本発明の画像形成装置は、
データ通信を仲介するインターフェースを複数有し、該インターフェースを介して画像データを受信して受信した画像データに基づく画像を形成する画像形成装置において、
上記インターフェースのうちの一つのインターフェースを介してのデータ通信が行われている間は、該一つのインターフェース以外の少なくとも一つのインターフェースによるデータ通信を制限する通信制御部を備えたことを特徴とする。
【００１２】
本発明の画像形成装置によれば、実行中のジョブに不必要なインターフェースによるデータ通信が制限されるので、入力中の画像データの機密を確実に保護することのできる画像形成装置を得ることができる。
【００１３】
また、上記画像形成装置は、さらに、上記インターフェースを介して入力された画像データを暗号化する暗号化部と、該暗号化部により暗号化された画像データを蓄積するデータ蓄積部とを備え、上記通信制御部は、上記インターフェースのうちの一つのインターフェースを介して入力された画像データが上記暗号化部により暗号化され上記データ蓄積部に蓄積されるまで、該一つのインターフェース以外の少なくとも一つのインターフェースを介しての画像データの通信を遮断するように、データ通信を制限するものである。
【００１４】
本発明の画像形成装置は、上記のように構成されているので、入力中の画像データの機密をさらに確実に保護することができる。
【００１５】
また、上記画像形成装置が、上記インターフェースそれぞれについて、一つのインターフェースを介してデータ通信を行っている間の他のインターフェースを介してのデータ通信の遮断の要否を設定する遮断要否設定部を備え、上記通信制御部は、上記遮断要否設定部により設定された遮断の要否に基づき、上記他のインターフェースを介してのデータ通信を遮断するように、データ通信を制限するものであることも好ましい。
【００１６】
本発明の画像形成装置を上記のように構成した場合は、ジョブの種類毎に、そのジョブに必要なインターフェースの種類を、セキュリティ強度優先の場合と画像形成装置の操作性優先の場合とに分けて設定することができるので、ユーザにとって利便性の高い画像形成装置を得ることができる。
【発明の効果】
【００１９】
本発明によれば、入力中の画像データの機密を保護することのできる画像形成装置を実現することができる。
【発明を実施するための最良の形態】
【００２０】
以下、図を参照して本発明の実施の形態を説明する。
【００２１】
図１は、本発明の画像形成装置の一実施形態を示す概要図である。
【００２２】
図１には、画像データを受信して受信した画像データに基づく画像を形成する画像形成装置１０と、通信網４０経由で画像形成装置１０とデータ通信を行うＰＣ（パーソナルコンピュータ）２０と、同様に通信網４０経由で画像形成装置１０とデータ通信を行うＰＣ３０とが示されている。
【００２３】
いま、ＰＣ２０から画像形成装置１０に対してユーザのコピージョブが送信されつつあり、画像形成装置１０はその受信データに基づき画像形成動作を行っているとすると、同様に通信網４０経由で画像形成装置１０と接続されているＰＣ３０を操作することによって、ＰＣ２０から画像形成装置１０に送信中の画像データを受信（盗聴）することが可能である。
【００２４】
そこで、本実施形態の画像形成装置１０では、データ通信を仲介する複数のインターフェースのうちの一つのインターフェースを介してのデータ通信が行われている間は、該一つのインターフェース以外の少なくとも一つのインターフェースによるデータ通信を制限するようにしている。すなわち、ＰＣ２０からの画像データを画像形成処理している間、その画像形成処理に不要な、ＰＣ３０と接続されているインターフェースによるデータ通信をオフにする。こうすることによりＰＣ３０による受信（盗聴）を防止することができる。
【００２５】
次に、本発明のデータ通信装置および画像形成装置の構成について説明する。
【００２６】
なお、以下の説明では、本発明のデータ通信装置の構成要素を含む画像形成装置について主に説明する。
【００２７】
図２は、本実施形態の画像形成装置のブロック図および画像データの流れを示す図である。
【００２８】
図２に示すように、この画像形成装置１０は、複数枚の原稿を自動的に読み取る自動原稿読取部１１と、自動原稿読取部１１で読み取った画像データ、又は原稿台などの上に置かれた原稿を読み込む原稿読込部１２＿１と、ＦＡＸ（Ｆａｘｉｍｉｌｉ：ファクシミリ）通信回線とのデータ通信を仲介するＦＡＸ  ＩＦ（Ｉｎｔｅｒｆａｃｅ：インターフェース）部１２＿２と、イーサネット（登録商標）（ＬＡＮ）ケーブルとのデータ通信を仲介するイーサネットＩＦ部１２＿３と、ＵＳＢ（Ｕｎｉｖｅｒｓａｌ  Ｓｅｒｉａｌ  Ｂｕｓ）ケーブルとのデータ通信を仲介するＵＳＢ  ＩＦ部１２＿４と、画像データに基づき印刷データ処理を行う印刷データ処理部１３と、画像データを暗号化する暗号化部１４と、暗号化部１４により暗号化された画像データを蓄積するデータ蓄積部１５と、蓄積された画像データを印刷処理する印刷部１６と、原稿読込部１２＿１、ＦＡＸ  ＩＦ部１２＿２、イーサネットＩＦ部１２＿３、およびＵＳＢ  ＩＦ部１２＿４のうちの一つのインターフェースを介してのデータ通信が行われている間は、該一つのインターフェース以外の少なくとも一つのインターフェースによるデータ通信を制限する通信制御部１７と、上記インターフェースそれぞれについて、一つのインターフェースを介してデータ通信を行っている間の他のインターフェースを介してのデータ通信の遮断の要否を設定する遮断要否設定部１８とを備えている。
【００２９】
このように構成された画像形成装置１０において、通信制御部１７は、原稿読込部１２＿１、ＦＡＸ  ＩＦ部１２＿２、イーサネットＩＦ部１２＿３、およびＵＳＢ  ＩＦ部１２＿４の４つのインターフェースを介してのデータ通信を制限することにより、白抜き矢印で示した画像データの流れを制御し、それにより画像データの機密を保護するようになっている。
【００３０】
また、上記通信制御部１７は、上記遮断要否設定部１８により設定された遮断の要否に基づき、上記他のインターフェースを介してのデータ通信を遮断するように、データ通信を制限するように構成してもよい。
【００３１】
なお、本発明のデータ通信装置は、例えば、上記の画像形成装置１０の構成要素のうち、原稿読込部１２＿１、ＦＡＸ  ＩＦ部１２＿２、イーサネットＩＦ部１２＿３、およびＵＳＢ  ＩＦ部１２＿４のなど、複数のインターフェースを有し、これらのインターフェースのうちの一つのインターフェースを介してのデータ通信が行われている間は、該一つのインターフェース以外の少なくとも一つのインターフェースによるデータ通信を制限する通信制御部１７を備えた構成となる。
【００３２】
図３は、図２に示す画像形成装置におけるＦＡＸを介して受信された画像データの流れを示す図である。
【００３３】
図３に示すように、この画像形成装置１０では、各インターフェースのうちＦＡＸ  ＩＦ部１２＿２を介してのデータ通信が行われており、このデータ通信が行われている間は、通信制御部１７は、ＦＡＸ  ＩＦ部１２＿２以外のインターフェース、すなわち原稿読込部１２＿１、イーサネットＩＦ部１２＿３、およびＵＳＢ  ＩＦ部１２＿４を介してのデータ通信を制限している。
【００３４】
このようにすることにより、ＦＡＸ  ＩＦ部１２＿２を介してこの画像形成装置１０に送信中の画像データが白抜き矢印で示したように流れ、最終的には印刷部で用紙に印刷されるが、ＦＡＸ  ＩＦ部１２＿２以外のインターフェースを介してのデータ通信は通信制御部１７によって遮断されているのでＦＡＸからの画像データの外部への流出は防止される。
【００３５】
図４は、図２に示す画像形成装置における自動原稿読取部を介して読み込まれた画像データをＦＡＸ送信する時の画像データの流れを示す図である。
【００３６】
図４に示すように、この画像形成装置１０では、通信制御部１７の制御のもとで各インターフェースのうち原稿読込部１２＿１およびＦＡＸ  ＩＦ部１２＿２を介してのデータ通信が行われており、このデータ通信が行われている間は、通信制御部１７は、原稿読込部１２＿１およびＦＡＸ  ＩＦ部１２＿２以外のインターフェース、すなわちイーサネットＩＦ部１２＿３、およびＵＳＢ  ＩＦ部１２＿４を介してのデータ通信を制限している。
【００３７】
このようにすることにより、自動原稿読取部１１で読み込まれ原稿読込部１２＿１を介して読み込まれた画像データは白抜き矢印で示したように流れ、ＦＡＸ  ＩＦ部１２＿２を介してＦＡＸ送信されるが、原稿読込部１２＿１およびＦＡＸ  ＩＦ部１２＿２以外のインターフェースを介してのデータ通信は通信制御部１７によって遮断されているので入力中の画像データの外部への流出は防止される。
【００３８】
図５は、図２に示す画像形成装置における原稿読込部を介して読み込まれた画像データを印刷処理する時の画像データの流れを示す図である。
【００３９】
図５に示すように、この画像形成装置１０では、通信制御部１７の制御のもとで各インターフェースのうち原稿読込部１２＿１を介してのデータ通信のみが行われており、このデータ通信が行われている間は、通信制御部１７は、原稿読込部１２＿１以外のインターフェース、すなわちＦＡＸ  ＩＦ部１２＿２、イーサネットＩＦ部１２＿３、およびＵＳＢ  ＩＦ部１２＿４を介してのデータ通信を制限している。
【００４０】
この例の場合には、自動原稿読取部１１（図２参照）は用いられず、原稿の画像データは原稿読込部１２＿１で直接読み込まれ、白抜き矢印で示したように流れ、印刷データ処理部１３で画像データに基づく印刷データ処理が行われ、暗号化部１４で暗号化され、データ蓄積部１５に蓄積された後、印刷部１６により印刷処理され、いわゆるコピーが得られる。
【００４１】
このように、原稿読込部１２＿１以外のインターフェース、すなわちＦＡＸ  ＩＦ部１２＿２、イーサネットＩＦ部１２＿３、およびＵＳＢ  ＩＦ部１２＿４を介してのデータ通信は通信制御部１７によって遮断されているので入力中の画像データの外部への流出は防止される。
【００４２】
図６は、図２に示す画像形成装置におけるイーサネットＩＦ部を介して読み込まれた画像データの流れを示す図である。
【００４３】
図６に示すように、この画像形成装置１０では、通信制御部１７の制御のもとで各イン各インターフェースのうちイーサネットＩＦ部１２＿３に備えられたｌｐｄ（Ｌｉｎｅ  Ｐｒｉｎｔｅｒ  Ｄａｅｍｏｎ）１２＿３ａ、ＳＭＢ（Ｓｅｒｖｅｒ  Ｍｅｓｓａｇｅ  Ｂｌｏｃｋ）１２＿３ｂ、ＩＰＰ（Ｉｎｔｅｒｎｅｔ  Ｐｒｉｎｔｉｎｇ  Ｐｒｏｔｏｃｏｌ）１２＿３ｃのうちのｌｐｄ１２＿３ａを介してのデータ通信のみが許可されており、このデータ通信が行われている間は、通信制御部１７は、イーサネットＩＦ部１２＿３のｌｐｄ１２＿３ａ以外のインターフェース、すなわち原稿読込部１２＿１、ＦＡＸ  ＩＦ部１２＿２、およびＵＳＢ  ＩＦ部１２＿４を介してのデータ通信を遮断している。
【００４４】
従って、ｌｐｄ１２＿３ａを介して入力中の画像データが、ｌｐｄ１２＿３ａ以外のインターフェースを介して外部に流出することが防止される。
【００４５】
次に、本発明のデータ通信方法について説明する。
【００４６】
この実施形態では、データ通信を仲介するインターフェースを複数有し、それらのインターフェースを介して画像データを受信して受信した画像データに基づく画像を形成する画像形成装置における、インターフェースを介在させたデータ通信を行うデータ通信方法について説明する。
【００４７】
この第１の実施形態では、予め用意されたセキュリティに関するパラメータに基づき、
画像形成装置内の内部蓄積装置に画像データを格納する前の画像データの暗号化処理および、内部蓄積装置に画像データを格納する際の上書き処理に関するセキュリティレベルを、予め設定済みのセキュリティレベルに基づき自動設定する自動設定モードと、ユーザにより入力されたセキュリティに関するパラメータに基づきマニュアル設定するマニュアル設定モードとを備えており、ユーザの操作に応じて上記いずれかのモードでセキュリティレベルを設定するかを選択できるようになっている。
【００４８】
このように、セキュリティーの設定に関し不慣れなユーザに対しては、セキュリティーレベルの高低と処理速度の遅速との関係をユーザインターフェース上に模式的に表示し、ユーザの選択により、簡単にユーザの意図する設定（暗号化の有無・暗号化方式・上書き回数）が自動的に設定できるユーザインターフェースを設けることが好ましい。なお、暗号化キーは、暗号化を必要とする設定が選択された場合には、ユーザにより暗号化キーを設定するようにしてもよいし、画像形成装置内部で乱数等を用いて暗号化キーを自動的に生成するようにしてもよい。
【００４９】
ユーザが自動設定モードを選択した場合には、例えば、表１に示すような、暗号化方式と上書き消去回数とを組み合せた４種類のセキュリティレベルの中から所望のレベルを選択するようになっている。
【００５０】
表１には、機密性は最も高いが処理速度が最も遅い、暗号化方式がＡＥＳ  ＣＢＣ  ５１２ｂｉｔで、上書き回数が３回である（１）レベル、から機密性は最も低いが処理速度の最も速い、暗号化方式がＡＥＳ  ＥＣＢ  １２８ｂｉｔで、上書き回数が１回である（４）レベルまでの４種類のレベルが示されている。この表１の内容は画像形成装置のユーザインターフェース上に表示され、ユーザは、ジョブ毎に、上記４種類のレベルから所望のものを選択できるようになっている。
【００５１】
【表１】
0004622825.tif 000002
【００５２】
図７は、表１に示したセキュリティレベルの機密性および処理速度との関連性を示す概念図である。
【００５３】
図７に示すように、（１）レベルは機密性は最も高いが処理速度が最も遅い設定であり、逆に（４）レベルは機密性は最も低いが処理速度が最も速い設定となっている。
【００５４】
図８は、本発明のデータ通信方法の第１の実施形態を示すフローチャートである。
【００５５】
図８に示すように、この画像形成装置においてコピー又はプリントなどのジョブが実行されると、先ず、ユーザの操作に応じて、セキュリティレベルを自動設定モードで設定するか、マニュアル設定モードで設定するかの選択が行われる（ステップＳ１１）。
【００５６】
ステップＳ１１において自動設定モードが選択された場合には、ステップＳ１２に進みセキュリティレベルの自動設定が行われる。
【００５７】
一方、ステップＳ１１においてマニュアル設定モードが選択された場合には、ステップＳ１３に進みセキュリティレベルのマニュアル設定が行われる。
【００５８】
ステップＳ１２では、ユーザインターフェース上に表示された４段階のセキュリティレベル（表１参照）の中から所望のセキュリティレベルが選択され、選択されたセキュリティレベルに応じた暗号化方式及び上書き消去回数が自動的に設定され、次にステップＳ１４に進む。
【００５９】
ステップＳ１３では、ユーザによるマニュアル設定、すなわち、暗号化方式および上書き回数の設定が行われ、次にステップＳ１４に進む。
【００６０】
ステップＳ１４では、上書き機能設定および暗号化機能設定が行われているか否かの判定が行われる。
【００６１】
ステップＳ１４において、上書き機能設定および暗号化機能設定が行われていると判定された場合は、この画像形成装置における現在のジョブに不必要なインターフェースの無効化が行われる（ステップＳ１５）。
【００６２】
なお、この実施形態では、複数のインターフェースそれぞれについて、一つのインターフェースを介してデータ通信を行っている間の他のインターフェースを介してのデータ通信の遮断の要否を設定する遮断要否設定部１８（図２参照）を備え、通信制御部１７は、上記遮断要否設定部１８により設定された遮断の要否に基づき、上記他のインターフェースを介してのデータ通信を遮断するように、データ通信を制限するように構成されている。すなわち、遮断要否設定部１８により、ジョブの種類毎に、そのジョブに必要なインターフェースの種類を、セキュリティ強度優先の場合と画像形成装置の操作性優先の場合とに分けて設定してある。
【００６３】
表２は、セキュリティ強度優先の場合のジョブの種類毎にオンに設定されるインターフェースを示すものであり、表３は、操作性優先の場合のジョブの種類毎にオンに設定されるインターフェースを示すものである。
【００６４】
【表２】
0004622825.tif 000003
【００６５】
【表３】
0004622825.tif 000004
【００６６】
例えば、現在のジョブが、自動原稿読取機を使用した１枚もののコピージョブであって、セキュリティ強度優先の場合には、表２に示すように、自動原稿読取部１１（図２参照）を介してのデータ通信のみがオンとなり、自動原稿読取部１１以外の原稿読込部１２＿１、ＦＡＸ  ＩＦ部１２＿２、イーサネットＩＦ部１２＿３、およびＵＳＢ  ＩＦ部１２＿４などのインターフェースを介してのデータ通信はオフとなる。
【００６７】
図８のフローチャートの説明を続ける。
【００６８】
ステップＳ１５において、現在のジョブに不必要なインターフェースの無効化が行われた後、ステップＳ１６に進み、ジョブ毎に指定された設定値により内部蓄積装置に格納されるジョブファイルを暗号化し、上書きモードで格納し、次に、指定されたジョブ、すなわちコピー又はプリントなどのジョブを実行し（ステップＳ１８）、ジョブ処理の終了を待って設定値をデフォルトに戻し全体の処理を終了する（ステップＳ１９）。
【００６９】
一方、ステップＳ１４において、上書き機能設定および暗号化機能設定が行われていないと判定された時には、現在のジョブの関連ファイルを、平文のまま、かつ上書き処理なしで内部蓄積装置に格納し（ステップＳ１７）、次に、上記ステップＳ１８に進み、ステップＳ１８以降の処理が行われる。
【００７０】
このように、このデータ通信方法では、図２に示した複数のインターフェースのうちの自動原稿読取部１１を介してのデータ通信が行われている間は、それ以外の原稿読込部１２＿１、ＦＡＸ  ＩＦ部１２＿２、イーサネットＩＦ部１２＿３、およびＵＳＢ  ＩＦ部１２＿４の４つのインターフェースを介してのデータ通信が遮断されているので入力中の画像データの外部への流出は防止される。
【００７１】
次に、図７に示した第１の実施形態の変形例である第２の実施形態について説明する。
【００７２】
第２の実施形態では、予めデフォルトとしてセキュリティレベルが設定されており、ユーザの選択により、上記デフォルトの設定を使用するかユーザによる新規設定を行うかを選択できるようになっている。
【００７３】
図９は、本発明のデータ通信方法の第２の実施形態を示すフローチャートである。
【００７４】
図９に示すように、この画像形成装置においてコピー又はプリントなどのジョブが実行されると、先ず、ユーザの操作に応じて、セキュリティレベルを、ユーザによって予め作成されたデフォルト値を用いて設定を行うか、新規にセキュリティレベルを設定するかの選択が行われる（ステップＳ２１）。
【００７５】
ここで、ＩＣカード等により登録ユーザを個別に特定することができる場合には、ユーザ毎に暗号化方式、ＪＯＢ暗号時の暗号化キー、上書き機能のオン／オフ（回数等を含む）などに関する設定情報をＩＣカード等に予め登録しておき、ユーザインターフェースで個別に選択できるような構成としてもよい。
【００７６】
ステップＳ２１においてデフォルト設定が選択された場合には、ステップＳ２２に進み、予めユーザにより作成され外部記憶装置に記憶された設定されたデフォルト値、例えば「暗号化方式：ＡＥＳ  ＣＢＣ  ５１２ｂｉｔ・上書き回数：３回」が読み出され、そのデフォルト値に基づきセキュリティレベルの自動設定が行われ、次にステップＳ２４に進む。
【００７７】
一方、ステップＳ２１においてマニュアル設定モードが選択された場合には、ステップＳ２３に進みユーザによるセキュリティレベルのマニュアル設定が行われる。このマニュアル設定では、ユーザインターフェースからユーザによる暗号化方式、上書き方式に関する詳細な設定を行うことができる。このマニュアル設定に基づきセキュリティレベルが設定され、次にステップＳ２４に進む。
【００７８】
ステップＳ２４では、上書き機能設定および暗号化機能設定が行われているか否かの判定が行われる。
【００７９】
ステップＳ２４において、上書き機能設定および暗号化機能設定が行われていると判定された場合は、この画像形成装置における現在のジョブに不必要なインターフェースの無効化が行われる（ステップＳ２５）。
【００８０】
この第２の実施形態においても第１の実施形態と同様、表２、表３に示した通り、セキュリティ強度優先の場合と画像形成装置の操作性優先の場合のジョブの種類毎にオンに設定されるインターフェースが設定されている。
【００８１】
例えば、現在のジョブが、自動原稿読取機を使用した１枚もののコピージョブであって、画像形成装置の操作性優先の場合には、表３に示すように、自動原稿読取部１１（図２参照）、ＦＡＸ  ＩＦ部１２＿２、およびＵＳＢ  ＩＦ部１２＿４を介してのデータ通信がオンとなり、それ以外の原稿読込部１２＿１、およびイーサネットＩＦ部１２＿３などのインターフェースを介してのデータ通信はオフとなる。
【００８２】
図９のフローチャートの説明を続ける。
【００８３】
ステップＳ２５において、現在のジョブに不必要なインターフェースの無効化が行われた後、ステップＳ２６に進み、ジョブ毎に指定された設定値により内部蓄積装置に格納されるジョブファイルを暗号化し、上書きモードで格納し、次に、指定されたジョブ、すなわちコピー又はプリントなどのジョブを実行し（ステップＳ２８）、ジョブ処理の終了を待って設定値をデフォルトに戻し全体の処理を終了する（ステップＳ２９）。
【００８４】
一方、ステップＳ２４において、上書き機能設定および暗号化機能設定が行われていないと判定された時には、現在のジョブの関連ファイルを、平文のまま、かつ上書き処理なしで内部蓄積装置に格納し（ステップＳ２７）、次に、上記ステップＳ２８に進み、ステップＳ２８以降の処理が行われる。
【００８５】
このように、このデータ通信方法では、図２に示した複数のインターフェースのうちの自動原稿読取部１１（図２参照）を介してのデータ通信が行われている間は、原稿読込部１２＿１およびイーサネットＩＦ部１２＿３の２つのインターフェースを介してのデータ通信が遮断されているので入力中の画像データの外部への流出が防止される。しかし、ＦＡＸ  ＩＦ部１２＿２およびＵＳＢ  ＩＦ部１２＿４は有効となっているので、ＦＡＸおよびＵＳＢによるデータ通信は可能であり、セキュリティ強度優先の場合よりも操作性の点では勝っている。
【００８６】
なお、上記本発明の各実施形態においては、現在のジョブに不必要なインターフェースによるデータ通信をオフにするように構成しているが、本発明において、通常は常時、全てのインターフェースによるデータ通信をオフにしておき、現在のジョブに必要なインターフェースによるデータ通信のみをオンにするように構成してもよい。
【図面の簡単な説明】
【００８７】
【図１】本発明の画像形成装置の一実施形態を示す概要図である。
【図２】本実施形態の画像形成装置のブロック図および画像データの流れを示す図である。
【図３】図２に示す画像形成装置におけるＦＡＸを介して受信された画像データの流れを示す図である。
【図４】図２に示す画像形成装置における自動原稿読取部を介して読み込まれた画像データをＦＡＸ送信する時の画像データの流れを示す図である。
【図５】図２に示す画像形成装置における原稿読込部を介して読み込まれた画像データを印刷処理する時の画像データの流れを示す図である。
【図６】図２に示す画像形成装置におけるイーサネットＩＦ部を介して読み込まれた画像データの流れを示す図である。
【図７】表１に示したセキュリティレベルの機密性および処理速度との関連性を示す概念図である。
【図８】本発明のデータ通信方法の第１の実施形態を示すフローチャートである。
【図９】本発明のデータ通信方法の第２の実施形態を示すフローチャートである。
【符号の説明】
【００８８】
１０    画像形成装置
１１    自動原稿読取部
１２＿１    原稿読込部
１２＿２    ＦＡＸ  ＩＦ部
１２＿３    イーサネットＩＦ部
１２＿３ａ    ｌｐｄ
１２＿３ｂ    ＳＭＢ
１２＿３ｃ    ＩＰＰ
１２＿４    ＵＳＢ  ＩＦ部
１３    印刷データ処理部
１４    暗号化部
１５    データ蓄積部
１６    印刷部
１７    通信制御部
１８    遮断要否設定部
２０，３０    ＰＣ
４０    通信網
【図１】
0004622825.tif 000005
【図２】
0004622825.tif 000006
【図３】
0004622825.tif 000007
【図４】
0004622825.tif 000008
【図５】
0004622825.tif 000009
【図６】
0004622825.tif 000010
【図７】
0004622825.tif 000011
【図８】
0004622825.tif 000012
【図９】
0004622825.tif 000013